(57)【要約】【課題】空気調和機等に使用される圧縮機の端子部保護カバーにおいて、空気調和機等の組立の際のロー付け等の熱による端子部保護カバーの吹き飛びがなく、かつ端子部保護カバーの取り外しを容易にするものである。【解決手段】空気調和機等に使用される圧縮機１の端子部保護カバー４にガス抜きを目的とする連通路を形成する凹部６、または切り欠き７を設けたものである。したがって、空気調和機等の組立の際のロー付け等の熱による端子部保護カバー４の吹き飛びがなく、かつリード線結線の際の端子部保護カバー４の取り外しを容易にすることができる。【選択図】図１
2006070903.tif 000002
【特許請求の範囲】
【請求項１】
圧縮機の端子部本体に圧入固定されて圧縮機輸送時の端子部保護や空気調和機等の組立時のロー付けによる熱等に対する保護を行い、前記ロー付け等の終了後リード線結線の前に取り外される圧縮機の端子部保護カバーであって、前記端子部保護カバーの端子部本体との圧入部に、端子部保護カバーの内側空間と外側空間とを連通する連通路を形成する凹部を設けた圧縮機の端子部保護カバー。
【請求項２】
圧縮機の端子部本体に圧入固定されて圧縮機輸送時の端子部保護や空気調和機等の組立時のロー付けによる熱等の影響に対する保護を行い、前記ロー付け等の終了後リード線結線の前に取り外される圧縮機の端子部保護カバーであって、前記端子部保護カバーの端子部本体との圧入部に、端子部保護カバーの内側空間と外側空間とを連通する連通路を形成する切り欠きを設けた圧縮機の端子部保護カバー。
【発明の詳細な説明】
【技術分野】
【０００１】
本発明は、空気調和機等に使用される圧縮機の端子部保護カバーに関するものである。
【背景技術】
【０００２】
従来のこの種の端子部保護カバーは、圧縮機輸送時の端子部の保護や空気調和機等の組立の際のロー付け等の熱の影響に対する保護を目的として使用される。端子部保護カバーは圧縮機輸送時の取扱いや振動で容易に外れないよう端子部本体に圧入固定される構造となっている。
【発明の開示】
【発明が解決しようとする課題】
【０００３】
しかしながら、上記従来の構成では、空気調和機等の組立の際、ロー付け等の熱の影響による端子部保護カバーの内圧上昇により、保護カバーが吹き飛ぶ恐れがあった。また、端子部本体と端子部保護カバーの締め代によってはリード線結線の際端子部保護カバーの取り外しが困難になっていた。そのため、端子部本体と保護カバーの圧入代はかなり高い精度が要求されていた。
【０００４】
本発明はこのような従来の課題を解決するものであり、空気調和機等の組立の際のロー付け等の熱による吹き飛びがない端子部保護カバーであり、かつリード線結線の際に容易な取り外しができる端子部保護カバーを提供することを目的とする。
【課題を解決するための手段】
【０００５】
上記課題を解決するために本発明は、空気調和機等に使用する圧縮機の端子部保護カバー圧入部に、内側空間と外側空間との連通路を形成する凹部又は切り欠きを設けたものである。
【０００６】
上記凹部又は切り欠きによって、ロー付け時の熱の影響により端子部保護カバーの内圧が上昇し、保護カバーが吹き飛ぶことを防止することができ、かつ圧入部の接触面積が小さくなるため小さい圧入力で固定でき、さらに取り外し時に保護カバー内側空間の気圧が外側空間の気圧よりも低くなることが無いので、リード線結線時の端子部保護カバーの取り外しを容易にすることができる。
【発明の効果】
【０００７】
本発明の端子部保護カバーは、端子部本体との圧入部に内側空間と外側空間との連通路を形成する凹部を設けたので、連通路から内側空間への異物が侵入し難く、ロー付け時の熱により内側空間の空気が膨張しても速やかに外側空間に逃がすことができるので保護カバーの吹き飛びが発生しない。さらに、保護カバーを取り外す際には、内部空間の気圧が低くならないので気圧差により取り外しが困難になるという問題も発生しない端子部保護カバーを提供することができる。
【発明を実施するための最良の形態】
【０００８】
第１の発明は、端子部保護カバーの圧縮機端子部本体との圧入部に内側空間と外側空間との連通路を形成する凹部を設けたものであり、外部からの異物が侵入しにくい構造で、かつ、内側空間と外側空間とは常に同じ気圧となるので、ロー付け時の熱により内側空間の空気が熱膨張しても速やかに外側空間に排出されるため保護カバーの吹き飛びが発生することがなく、さらに、保護カバーを取り外す際にも内部空間が真空になって取り外しが困難になるということがない。
【０００９】
第２の発明は、端子部保護カバーの圧縮機端子部本体との圧入部に内側空間と外側空間との連通路を形成する切り欠きを設けたものであり、第１の発明に比較して若干外部からの異物が侵入しやすくなるが、内側空間と外側空間とが常に同じ気圧となるので、ロー付け時の熱により内側空間の空気が熱膨張しても速やかに外側空間に排出されるため保護カバーの吹き飛びが発生することがなく、さらに、保護カバーを取り外す際にも内部空間が真空になって取り外しが困難になるということがないという効果については同等である。また、第２の発明の場合は、切り欠きを設けたことにより端子部保護カバーの剛性が低くなり弾性変形しやすくなるので、小さな力で圧入および取り外しが可能であり、かつ、弾性力により保持されるので安定した保持が可能となる。
【００１０】
以下本発明の実施例について図面を参照して説明する。
【００１１】
（実施例の形態１）
図２において、１は密閉容器内部に電動機部２と圧縮機構部３を内装する空気調和機等に使用する圧縮機を示す。端子部保護カバー４は圧縮機１の密閉端子５に圧入固定される。端子部保護カバー４の圧入部には、図１に示すように例えば２箇所内径が大きくなっている凹部６を設けることにより、内側空間と外側空間との連通路を形成する。
【００１２】
これにより、空気調和機等の組立の際、ロー付け等のトーチの炎に直接さらされても、熱膨張した空気は凹部６により形成された連通路から外側空間に排出されるので、端子部保護カバー４の内圧上昇を防ぐことができる。また、内圧上昇による吹き飛びがないため、端子部保護カバー４と密閉端子５の圧入代を小さくすることができ、さらに、端子部保護カバーを取り外すために引き抜く際、内側空間の容積が増大しても気圧が低下することは無いので、リード線結線時の端子部保護カバー４の圧入および取り外しを容易にすることができる。
【００１３】
（実施例の形態２）
図３は、端子部保護カバー４の圧入部に切り欠き７を設けたものである。
【００１４】
これにより、空気調和機等の組立の際、ロー付け等のトーチの炎に直接さらされても、熱膨張した空気は切り欠き７により形成された連通路から外側空間に排出されるので、端子部保護カバー４の内圧上昇を防ぐことができる。また、内圧上昇による吹き飛びがなく、圧入部は弾性力によっても保持されるため、端子部保護カバー４と密閉端子５の圧入代を小さくすることができ、さらに、端子部保護カバーを取り外すために引き抜く際、内側空間の容積が増大しても気圧が低下することは無いので、リード線結線時の端子部保護カバー４の圧入および取り外しを容易にすることができる。
【産業上の利用可能性】
【００１５】
以上のように、本発明に係る圧縮機の端子部保護カバーは、保護カバーの吹き飛びが発生せず、圧入及び取り外しを容易に行うことが可能となるので、空気調和装置などの用途に適用することができる。
【図面の簡単な説明】
【００１６】
【図１】本発明第１の実施の形態における端子部保護カバーの断面図
【図２】本発明第１の実施の形態における圧縮機の断面図
【図３】本発明第２の実施の形態における端子部保護カバーの断面図
【図４】従来の端子部保護カバーの断面図
【符号の説明】
【００１７】
１  圧縮機
２  電動機部
３  圧縮機構部
４  端子部保護カバー
５  密閉端子部
６  凹部
７  切り欠き
【図１】
2006070903.tif 000003
【図２】
2006070903.tif 000004
【図３】
2006070903.tif 000005
【図４】
2006070903.tif 000006